(57)【要約】【課題】ＬＥＤユニットと電源部とを接続する電線の収容部を確保しつつコストダウンを図ることができる照明器具を提供する。【解決手段】ＬＥＤユニット２７に電力を供給する電源部４２を収容する電源ボックス４０を器具本体２０の上に取り付けた。また、電源ボックス４０の内部にＬＥＤユニット２７と電源部４２とを接続する電線２８、４５を収容する収容部４３を設けた。このため、電源ボックスと収容部の部材を共用することができ、コストダウンを図ることができる。【選択図】図１
2015032467.tif 000002
【特許請求の範囲】
【請求項１】
被取付部に取り付けられる器具本体と、
前記器具本体に取り付けられるＬＥＤユニットと、
前記ＬＥＤユニットに電力を供給する電源部を収容する電源ボックスと、
前記ＬＥＤユニットと前記電源部とを接続する電線と、を有し、
前記電源ボックスを前記器具本体の上に取り付けるとともに、前記電源ボックスに前記電線を収容する収容部を設けた照明器具。
【請求項２】
請求項１に記載の照明器具において、
前記電源ボックスの内部において前記収容部と前記電源部との間に隔壁を設けた照明器具。
【請求項３】
請求項１または請求項２に記載の照明器具において、
前記電源ボックスにおける前記器具本体の上方の隅部に傾斜面を設けた照明器具。
【発明の詳細な説明】
【技術分野】
【０００１】
本発明は、天井面等に設けられた取付孔に埋め込んで取り付けて下方を照明する照明器具に関するものである。
【背景技術】
【０００２】
従来、天井面に設けられている取付孔に埋め込んで、下方を照明する照明器具が知られている（例えば、特許文献１参照）。
図４に示すように、特許文献１に記載の照明器具１００は、天井材１０１に埋め込み配置されるダウンライトである。
この照明器具１００の器具本体１０２は、ＬＥＤユニット１０３が収納配置される有底円筒状の本体部１０４と、この本体部１０４の開口部から外方へ延設された外鍔部１０５とを有する。
また、器具本体１０２は、天井材１０１に貫設された埋込孔１０６に埋め込まれ、外鍔部１０５が天井材１０１の下面における埋込孔１０６の周部に当接する形で天井材１０１に取り付けられる。
【０００３】
器具本体１０２の底部１０７の上側には、電源ユニット１０８を収納配置する収納部１０９が設けられており、電源ユニット１０８が器具本体１０２から離して配置されている。
また、ＬＥＤユニット１０３に接続された電線１１０の先端にはコネクタ１１１が設けられており、電源ユニット１０８に接続された電線１１２の先端にはコネクタ１１３が設けられている。コネクタ１１１とコネクタ１１３は接続、分離可能であり、収納部１０９に収納されている。
【先行技術文献】
【特許文献】
【０００４】
【特許文献１】特開２０１２−１８１９４６号公報（第９図）
【発明の概要】
【発明が解決しようとする課題】
【０００５】
ところで、図５に示すように、ＬＥＤユニット１２１が交換可能な交換型の照明器具１２０で、電源ユニット１０８を収容する電源ボックス１２２を器具本体１０２と別個に天井材１０１の裏面に取り付ける場合がある。
なお、図４に示した照明器具１００と共通する部位には同じ符号を付して、重複する説明を省略することとする。
【０００６】
このような照明器具１２０においては、ＬＥＤユニット１２１を取り外す際の作業性を考慮して、ＬＥＤユニット１２１と電源ユニット１０８とを接続するのに、長い電線１１０が用いられている。
すなわち、ＬＥＤユニット１２１を器具本体１０２から外して、電線１１０、１１２およびコネクタ１１１、１１３を外部に引き出し、コネクタ１１１をコネクタ１１３から切り離すことができるように、電線１１０を長くしている。（図６参照）。
【０００７】
このため、電線１１０は、ＬＥＤユニット１２１を装着した後は、屈曲させながら器具本体１０２の内部に収容されるのが一般的である（図５参照）。
しかしながら、図５に示したような従来の照明器具１２０においては、電源ユニット１０８を保護する電源ボックス１２２と、電線１１０を収容する収容部（器具本体１０２）とを別個に設けるため、コストアップを招くという問題があった。
【０００８】
本発明は、従来の問題を解決するためになされたもので、ＬＥＤユニットと電源部とを接続する電線の収容部を確保しつつコストダウンを図ることができる照明器具を提供することを目的とする。
【課題を解決するための手段】
【０００９】
本発明の照明器具は、被取付部に取り付けられる器具本体と、前記器具本体に取り付けられるＬＥＤユニットと、前記ＬＥＤユニットに電力を供給する電源部を収容する電源ボックスと、前記ＬＥＤユニットと前記電源部とを接続する電線と、を有し、前記電源ボックスを前記器具本体の上に取り付けるとともに、前記電源ボックスに前記電線を収容する収容部を設けたものである。
【００１０】
また、本発明の照明器具は、前記電源ボックスの内部において前記収容部と前記電源部との間に隔壁を設けたものである。
【００１１】
さらに、本発明の照明器具は、前記電源ボックスにおける前記器具本体の上方の隅部に傾斜面を設けたものである。
【発明の効果】
【００１２】
本発明は、ＬＥＤユニットに電力を供給する電源部を電源ボックスに収容し、この電源ボックスを器具本体の上に取り付けるとともに、電源ボックスの内部にＬＥＤユニットと電源部とを接続する電線を収容する収容部を設けた。このため、電源ボックスと収容部の部材を共用することができ、コストダウンを図ることができるという効果を有する照明器具を提供できる。
【図面の簡単な説明】
【００１３】
【図１】本発明に係る第１実施形態の照明器具を天井材に取り付けた状態の断面図
【図２】本発明に係る第２実施形態の照明器具を天井材に取り付けた状態の断面図
【図３】本発明に係る第３実施形態の照明器具を天井材に取り付けた状態の断面図
【図４】従来の埋込式の照明器具の断面図
【図５】従来のＬＥＤ交換型の照明器具の断面図
【図６】ＬＥＤ交換の状態を示す断面図
【発明を実施するための形態】
【００１４】
（第１実施形態）
以下、第１実施形態の照明器具について、図面を用いて説明する。
図１に示すように、第１実施形態の照明器具１０Ａは、例えば被取付部である天井材１１に設けられた取付孔１２に埋め込んで取付け、主に下方を照明するダウンライトとすることができる。
なお、以下の説明においては、照明方向を「下」とし、照明方向と反対側を「上」として説明する。
【００１５】
照明器具１０Ａは、取付孔１２に取り付けられる器具本体２０を有する。器具本体２０は、下方に向かって円錐台形状に拡径する本体下部２１と、本体下部２１の上に設けられ、略円柱形状の本体上部２２とを一体に有する。
本体下部２１の内面は、略円錐台形状の反射面２３を有し、本体下部２１の下端部には、外側に水平に拡がる鍔部２４を有する。鍔部２４は、器具本体２０を取付孔１２に取り付けた状態で、天井材１１の下面に露出する。本体下部２１の外側には、周方向に沿って所定の間隔で複数個の取付金具２５が設けられている。
従って、器具本体２０は、鍔部２４の上面と取付金具２５との間に天井材１１を挟むことにより、取付孔１２に固定される。
【００１６】
本体上部２２は、底部２６を介して本体下部２１の上側に一体的に形成されている。底部２６の下面には、光源であるＬＥＤユニット２７が取り付けられる。ＬＥＤユニット２７が発した光は、下方に照射される。また、ＬＥＤユニット２７から反射面２３に照射された光は、反射面２３で反射して下方へ照射される。
【００１７】
底部２６には貫通孔２６１が設けられており、ＬＥＤユニット２７に接続されるＬＥＤ側電線２８が挿通されている。ＬＥＤ側電線２８のＬＥＤユニット２７と反対側端部には、ＬＥＤ側コネクタ２９が取り付けられている。ＬＥＤ側電線２８およびＬＥＤ側コネクタ２９は、器具本体２０の本体上部２２に設けられている内部空間３０に収容される。
略円柱形状を呈している本体上部２２の内部には、内部空間３０が設けられている。また、本体上部２２の外側には、ＬＥＤユニット２７が発する熱を外部に放出する多数の放熱フィン３１が設けられている。
【００１８】
本体上部２２の上側には、電源ボックス４０がねじ４１によって取り付けられる。電源ボックス４０は、全体略矩形の箱状を呈しており、電源ボックス４０の天板４０１には、商用電源（図示省略）からの電力を点灯電力に変換してＬＥＤユニット２７に供給する電源部４２が取り付けられている。
電源部４２は、電源ボックス４０の内部において器具本体２０から遠い側に設けられており、器具本体２０の真上に当たる部分には、収容部４３が設けられている。収容部４３と電源部４２との間は、隔壁４４で仕切られている。
なお、収容部４３は、器具本体２０の本体上部２２の内部空間３０と連続する。
【００１９】
電源部４２とＬＥＤユニット２７とを接続する電源部側電線４５は、電源部４２から隔壁４４を貫通して収容部４３に配線される。電源部側電線４５および電源部側電線４５の先端に取り付けられている電源部側コネクタ４６は、収容部４３に収容される。
従って、収容部４３および内部空間３０において、ＬＥＤ側コネクタ２９と電源部側コネクタ４６とが切り離し可能に接続され、ＬＥＤユニット２７と電源部４２とが接続される。
なお、電源ボックス４０における器具本体２０の上方の隅部、すなわち収容部４３の天板に相当する部分には、傾斜面４７が設けられている。
【００２０】
このような照明器具１０Ａを取り付ける際には、器具本体２０の上側に取り付けられている電源ボックス４０の方から天井材１１の取付孔１２に挿入する。そして、電源ボックス４０が天井材１１の上方に位置するように、器具本体２０を回転させながら取付孔１２に挿入する。
そして、器具本体２０の下端部の鍔部２４の上面が天井材１１の下面に当接した状態で、取付金具２５により固定する。
【００２１】
また、ＬＥＤユニット２７の交換の際には、まず、ＬＥＤユニット２７を器具本体２０の底部２６から外す。そして、収容部４３に収容されているＬＥＤ側コネクタ２９、電源部側コネクタ４６および電源部側電線４５を、底部２６の貫通孔２６１から下方へ引き出して、ＬＥＤ側コネクタ２９を電源部側コネクタ４６から切り離す（図６参照）。
一方、ＬＥＤユニット２７を取り付ける際には、器具本体２０から引き出されている電源部側電線４５の電源部側コネクタ４６に、ＬＥＤ側コネクタ２９を接続する。そして、電源部側電線４５を収容部４３に収容させながらＬＥＤユニット２７を持ち上げて、ＬＥＤユニット２７を器具本体２０の底部２６に取り付ける。
【００２２】
次に、第１実施形態の照明器具の作用効果について説明する。
第１実施形態の照明器具１０Ａでは、ＬＥＤユニット２７に電力を供給する電源部４２を収容する電源ボックス４０を器具本体２０の上に取り付けた。また、電源ボックス４０の内部にＬＥＤユニット２７と電源部４２とを接続するＬＥＤ側電線２８および電源部側電線４５を収容する収容部４３を設けた。
このため、電源ボックス４０と収容部４３の部材を共用することができ、コストダウンを図ることができる。
【００２３】
また、第１実施形態の照明器具１０Ａは、電源ボックス４０の内部において、収容部４３と電源部４２との間に隔壁４４を設けたので、電源部４２が発する熱がＬＥＤ側電線２８および電源部側電線４５に伝わらないように遮断することができる。
【００２４】
さらに、第１実施形態の照明器具１０Ａは、電源ボックス４０における器具本体２０の上方の隅部に傾斜面４７を設けた。
このため、電源ボックス４０が取り付けられた器具本体２０を天井材１１の取付孔１２に挿入する際に、天井材１１の上方の空間が狭くても、傾斜面４７が引っ掛からないので、容易に照明器具１０Ａを取り付けることができる。
【００２５】
（第２実施形態）
次に、第２実施形態の照明器具について説明する。
なお、前述した第１実施形態の照明器具１０Ａと共通する部位には同じ符号を付して、重複する説明を省略することとする。
図２に示すように、第２実施形態の照明器具１０Ｂでは、電源ボックス４０の電源部４２の横で、器具本体２０の上方に位置する場所に収容部４３を設けた。電源ボックス４０と収容部４３との間には、第１実施形態の照明器具１０Ａで設けた隔壁４４（図１参照）は設けられていない。
【００２６】
このように構成しても、第２実施形態の照明器具１０Ｂは、第１実施形態の照明器具１０Ａと同様の作用、効果を得ることができ、コストダウンを図ることができる。
【００２７】
（第３実施形態）
次に、第３実施形態の照明器具について説明する。
なお、前述した第１実施形態の照明器具１０Ａおよび第２実施形態の照明器具１０Ｂと共通する部位には同じ符号を付して、重複する説明を省略することとする。
図３に示すように、第３実施形態の照明器具１０Ｃでは、電源ボックス４０は矩形箱状に形成されている。
すなわち、前述した第１実施形態の照明器具１０Ａおよび第２実施形態の照明器具１０Ｂにおける電源ボックス４０の収容部４３の上方に設けた傾斜面４７は設けられていない。
【００２８】
このように構成しても、第３実施形態の照明器具１０Ｃは、第１実施形態の照明器具１０Ａと同様の作用、効果を得ることができ、コストダウンを図ることができる。
なお、電源ボックス４０において電源部４２と収容部４３との間に設けた隔壁４４は、設けないようにすることも可能である。
【００２９】
本発明の照明器具は、前述した各実施形態に限定されるものでなく、適宜な変形、改良等が可能である。
【符号の説明】
【００３０】
１０Ａ、１０Ｂ、１０Ｃ  照明器具
１１  天井材（被取付部）
２０  器具本体
２７  ＬＥＤユニット
２８  ＬＥＤ側電線（電線）
４０  電源ボックス
４２  電源部
４３  収容部
４４  隔壁
４５  電源部側電線（電線）
４７  傾斜面
【図１】
2015032467.tif 000003
【図２】
2015032467.tif 000004
【図３】
2015032467.tif 000005
【図４】
2015032467.tif 000006
【図５】
2015032467.tif 000007
【図６】
2015032467.tif 000008